(57)【要約】      （修正有）【課題】光子のエネルギーの減少の一般式を求めること。【解決手段】光子の軌道エネルギーをＡＪ×Ｋ÷軌道とし、Ｋの値を変えて考える。太陽から出発する光子のエネルギーをａとし、地球にたどり着く光子のエネルギーをｂとする。太陽と地球の距離は、約１．５×１０１１ｍであるから、ＡＪ×Ｋ÷軌道＝ａ×Ｋ÷（２×１．５×１０１１ｍ）＝ｂである。この式によって、光子のエネルギーの減少と、宇宙の軌道に存在する星から出発する光子１個のエネルギーと、光子のマクロの軌道エネルギーの式と、地球の光子のミクロの軌道エネルギーの式、の一般式を求める。太陽を出発する光子１個のエネルギーの値によってＫとミクロの軌道エネルギーの式は異なる。それで、太陽を出発する光子の軌道はどれ位かを知る事によってＫの値を知ることができる。【選択図】図３
2005020996.tif 000002
【特許請求の範囲】
【請求項１】
光子は走る事によってエネルギーを減少する。一般式を求める。光子のエネルギーは、ＡＪ×定数÷軌道  である。太陽から出発する光子１個のエネルギーをａ、地球に到着するエネルギーをｂとする。地球と太陽との距離を１．５×１０１１ｍとする。定数＝Ｋとする。ＡＪ＝ａであるから、ＡＪ×定数÷軌道＝ａ×Ｋ÷（２×１．５×１０１１ｍ）＝ｂである。Ｋ＝ｂ／ａ×３×１０１１ｍである。それで、一般式は、Ｅ＝ＡＪ×ｂ／ａ×３×１０１１ｍ÷宇宙の軌道  ＝ＡＪ×Ｋ÷軌道  ＝ＡＪ×ｂ／ａ×３×１０１１ｍ÷（２×走った距離）  ＝ＡＪ×ｂ／ａ×１．５×１０１１ｍ÷走った距離  ＝ＡＪ×０．５Ｋ÷走った距離  ＝ＡＪ÷｛走った距離÷（ｂ／ａ×１．５×１０１１ｍ）｝  ＝ＡＪ÷（走った距離÷０．５Ｋ）  ＝ＡＪ÷｛走った距離÷（ｂ／ａ×１．５×１０１１ｍ）｝×９／１０×１０／９  ＝ＡＪ÷｛走った距離÷（ｂ／ａ×１．６６７×１０１１ｍ）×９／１０  ＡＪ÷（走った距離÷０．５５５６Ｋ）×９／１０  ＝ＡＪ÷｛走った距離÷（ｂ／ａ×１．５×１０１１ｍ）×１／２×２  ＝ＡＪ÷｛走った距離÷（ｂ／ａ×３×１０１１ｍ）×１／２  ＝ＡＪ÷（走った距離÷Ｋ）×１／２  ＝ＡＪ÷｛走った距離÷（ｂ／ａ×１．５×１０１１ｍ）×１／１０×１０  ＝ＡＪ÷｛走った距離÷（ｂ／ａ×１．５×１０１２ｍ）×１／１０  ＝ＡＪ÷（走った距離÷５Ｋ）×１／１０即ち、光子はｂ／ａ×１．６６７×１０１１ｍ＝０．５５６Ｋ走るとエネルギーは９／１０になり、ｂ／ａ×３×１０１１ｍ＝Ｋ走るとエネルギーは１／２になる。但し、走る方向は、軌道に対して垂直な方向であり、エネルギーの小さな方向である。光子は軌道に対して垂直な方向にｂ／ａ×１．５×１０１２ｍ＝５Ｋ走ると、エネルギーは１／１０になる。
【請求項２】
宇宙の軌道に存在する（存在した）光子１個のエネルギーはどのようであるか。一般式を求める。宇宙の軌道に存在する星から出発する光子１個が走って地球にたどり着くエネルギーはｂであるから、Ｅ＝ｂである。ｂ＝ＡＪ×ｂ／ａ×１．５×１０１１ｍ÷走った距離ＡＪ＝ｂ÷（ｂ／ａ×１．５×１０１１ｍ）×走った距離    ＝ａ÷（１．５×１０１１ｍ）×走った距離  である。ＡＪ／走った距離＝ａ／（１．５×１０１１ｍ）星から出発した光子のエネルギー／星から地球まで光子が走った距離＝太陽から出発した光子のエネルギー／太陽から光子が走った距離即ち、光子は走った距離に比例してエネルギーを減少させるということである。光速は１０億年走ると６／１０に減速する。１０億年走ると光速は１．８×１０８ｍで、１億年走ると光速は２．８２×１０８ｍである。それで、１億年までの光速を３×１０８ｍとする。１億年までの距離は、年数をｃ年とすると、ｃ×９．４６×１０１５ｍである。それで、ＡＪ＝ａ÷（１．５×１０１１ｍ）×ｃ×９．４６×１０１５ｍ    ＝ａ×ｃ×６．３×１０４即ち、１億光年より地球に近い場合、星から出発した光子１個のエネルギー＝太陽から出発した光子１個のエネルギー×６．３×１０４×走った年数  である。ｃが１億年以上の場合は、ＡＪ＝走った距離×ａ÷（１．５×１０１１ｍ）である。
【請求項３】
宇宙の軌道に存在する（存在した）星から出発する光子１個のマクロの軌道エネルギーの式はどのようであるか。一般式を求める。マクロの軌道エネルギーの式をＣ  Ｊ・ｍ÷軌道とする。光子が地球に到着する場合、Ｃ  Ｊ・ｍ÷軌道＝Ｃ  Ｊ・ｍ÷（２×走った距離）＝ｂＣ  Ｊ・ｍ＝ｂ×２×走った距離よって、式は、Ｃ  Ｊ・ｍ÷軌道＝ｂ×２×走った距離÷軌道  である。又は、ＡＪ×ｂ／ａ×３×１０１１ｍ÷（２×走った距離）＝ｂ  Ｃ  Ｊ・ｍ÷（２×走った距離）＝ｂＣ  Ｊ・ｍ＝ＡＪ×ｂ／ａ×３×１０１１ｍ＝ＡＪ×Ｋ  である。よって、式は、Ｃ  Ｊ・ｍ÷軌道＝ＡＪ×ｂ／ａ×３×１０１１ｍ÷軌道＝ＡＪ×Ｋ÷軌道  である。
【請求項４】
地球に於ける光子のミクロの軌道エネルギーの式はどのようであるか。一般式を求める。地球での軌道エネルギーは、地球での光子１個のエネルギーをＡＪとすると、ＡＪ×Ｋ÷軌道＝ｂ  である。軌道が１ｍの光子のエネルギーは、ｂ÷Ｋ  である。それで、ミクロの軌道エネルギーは、ｂ÷Ｋ÷軌道  である。Ｋ＝ｂ÷ａ×３×１０１１ｍであるから、ｂ÷Ｋ÷軌道＝ｂ÷（ｂ÷ａ×３×１０１１ｍ）÷軌道＝ａ÷（３×１０１１ｍ）÷軌道  である。
【請求項５】
宇宙の軌道に存在する（存在した）星から出発するニュートリノ１個のエネルギーはどれ位か。そして、ニュートリノ１個のマクロの軌道エネルギーの式はどのようであるか。一般式を求める。本発明者は２００４年２月２７日提出の特願２００４−９０５４３の『宇宙の軌道における光子の軌道エネルギーの式』まで、光子を磁気の光子と記してきた。それは、光子には２種類あるからである。１つは電気の光子で、１つは磁気の光子である。電気の光子は、ラブの外側をラブと同じ方向に回転する光子である。磁気の光子はラブの回転をクロス回転する光子である。電気の光子はニュートリノである。それで、２００４年５月１５日の特許願いから、電気の光子をニュートリノと記し、磁気の光子を光子と記すようにした。それでも、原子の中でクロス回転する光子は空中を走る光子と区別するために、磁気の光子と記す。原子の中をクロス回転する光子は磁気の光子と記し、回転から排斥され、放出し、波型に走るのを光子と記す。ニュートリノ及びラブの軌道エネルギーは、特願２００３−１４７０１２の『スピン及び原子の軌道エネルギー』の中の〔請求項４〕〔請求項５〕に記した。即ち、原子核の大きさを１０−１５ｍとすると、陽子のラブと中性子のラブ（＝陽子のラブ）は１／２×１０−１５ｍの軌道を回転していて、この軌道のエネルギーは１．５×１０−１０Ｊである。それで、１０−１５ｍの軌道エネルギーは０．７５×１０−１０Ｊである。よって、原子の軌道エネルギーは、０．７５×１０−２５Ｊ・ｍ÷軌道  である。原子の軌道とは、ラブの軌道であり、ラブと一緒に回転しているニュートリノの軌道である。それで、ニュートリノとラブの軌道エネルギーの式は、０．７５×１０−２５Ｊ・ｍ÷軌道  である。一方、クロス回転する磁気の光子の軌道エネルギーの式は、１．１×１０−４１Ｊ・ｍ÷軌道  である。光子のミクロの軌道エネルギーの式も、１．１×１０−４１Ｊ・ｍ÷軌道  である。それで、ニュートリノとラブの軌道エネルギーは、光子の軌道エネルギーの０．７５×１０−２５÷（１．１×１０−４１）＝６．８１８×１０１５（倍）である。しかし、ラブは星から出発しない。星から出発するのは、ニュートリノだけである。それで、宇宙の軌道の星から出発するニュートリノ１個のエネルギーを求める一般式は、宇宙の軌道の星から出発するニュートリノ１個のエネルギー＝６．８１８×１０１５×宇宙の軌道の星から出発する光子１個のエネルギー＝６．８１８×１０１５×ＡＪ  である。それで、ニュートリノ１個のマクロの軌道エネルギーを求める一般式は、光子１個の軌道エネルギー×Ｋ×６．８１８×１０１５÷軌道  である。光子の軌道エネルギーの式の６．８１８×１０１５倍のエネルギーである。
【請求項６】
太陽から出発する光子の軌道について。太陽から光子が出発する原理は、水素原子の磁気の光子が排斥し、放出する事である。太陽の中央になるに従い、高エネルギーで軌道は小さくなる。中央になるに従い、より小さな軌道の磁気の光子やニュートリノが排斥される。そして、中央で排斥された光子やニュートリノは自分の軌道を、周囲の光子の軌道にあわせ、次第に軌道を大きくしながら太陽の外側に進む。この場合、光子やニュートリノは走るのではない。光子やニュートリノは排斥された状態で回転している。それで、太陽の中に存在する間は回転状態である。磁気の光子と異なる点は、磁気の光子はラブの回転をクロス回転しているが、太陽の中の光子はただ回転している点である。これで、光子は３つの状態に分類される。１つはクロス回転する磁気の光子。２つは太陽の中の光子で回転する光子。３つは走る光子である。ニュートリノも同じように分類される。１つはラブの外側をラブの回転方向に回転するニュートリノである。２つは太陽の中のニュートリノで回転するニュートリノである。３つは走るニュートリノである。そして、太陽の外側から出発する光子の軌道は、太陽の外側の光子の軌道とほぼ同じである。太陽の外側に存在する光子の軌道より少し大きい軌道である。太陽の外側の光子の軌道は、水素原子の外側の磁気の光子の軌道である。太陽の外側の光子の軌道の大きさは水素原子の外側をクロス回転している磁気の光子（＝特性Ｘ線や連続Ｘ線が回転している。）の軌道より少し小さい軌道である。それで、外側を回転している磁気の光子（＝特性Ｘ線や連続Ｘ線が回転している。）は排斥され、放出する。磁気の光子（クロス回転している特性Ｘ線や連続Ｘ線）が放出し、光子（Ｘ線）と成って走る。太陽の外側の光子の軌道は水素原子の特性Ｘ線の軌道より少し小さい。それで、太陽の中で排斥された光子とニュートリノは、自分の軌道を大きくしながら太陽の外側まで進み、太陽の外側の光子の軌道と同じ軌道になって、太陽を出発する。Ｌｉの特性Ｘ線は２３×１０−９ｍである。水素の特性Ｘ線はこれより波長は長い。それで、水素の特性Ｘ線の波長を３０×１０−９ｍとする。この軌道は１５×１０−９ｍである。▲１▼太陽の外側の軌道を１．５×１０−８ｍとする場合。このエネルギーは、１０−４１Ｊ・ｍ÷（１．５×１０−８ｍ）＝６．６７×１０−３４Ｊである。Ｋ＝６．６７×１０−３５÷（６．６７×１０−３４Ｊ）×３×１０１１ｍ＝３×１０１０ｍ地上での光子のミクロの軌道エネルギーの式は、６．６７×１０−３４Ｊ÷（３×１０１１ｍ）÷軌道＝２．２２×１０−４５Ｊ・ｍ÷軌道  である。▲２▼太陽の外側の軌道を１０−８ｍとする場合。このエネルギーは、１０−４１Ｊ・ｍ÷１０−８ｍ＝１０−３３Ｊ  である。Ｋ＝６．６７×１０−３５Ｊ÷１０−３３Ｊ×３×１０１１ｍ＝２×１０１０ｍ地上での光子のミクロの軌道エネルギーの式は、１０−３３Ｊ÷（３×１０１１ｍ）÷軌道＝３．３×１０−４５Ｊ・ｍ÷軌道  である。
【発明の詳細な説明】
【技術分野】
【０００１】  この発明は光子のエネルギーの変化と、宇宙の軌道に存在する星から出発する光子１個のエネルギーと、宇宙の軌道に存在する星から出発する光子のマクロの軌道エネルギーの式と、地球の光子のマクロの軌道エネルギーの式とミクロの軌道エネルギーの式、及び宇宙の軌道に存在する星から出発するニュートリノ１個のエネルギーと、ニュートリノ１個のマクロの軌道エネルギーの式と太陽から出発する光子の軌道に関する。
【背景技術】
【０００２】  従来、光子のエネルギーの変化と、宇宙の軌道に存在する星から出発する光子１個のエネルギーと、宇宙の軌道に存在する星から出発する光子１個のマクロの軌道エネルギーを求める式はできていない。そして、地球の光子のマクロの軌道エネルギーを求める式と、ミクロの軌道エネルギーを求める式はできていない。宇宙の軌道に存在する星から出発するニュートリノ１個のエネルギーと、ニュートリノ１個が走るマクロの軌道エネルギーを求める式はできていない。太陽から出発する光子の軌道について正確にわからない。
【本発明が解決しようとする課題】
【０００３】１、光子のエネルギーは走るとどれだけエネルギーを減少させるか。一般式を求める。２、宇宙の軌道に存在する星から出発する光子１個のエネルギーはどれくらいか。一般式を求める。３、宇宙の軌道に存在する星から出発する光子１個のマクロの軌道エネルギーを求める式はどのようであるか。一般式を求める。４、地球に於ける光子のミクロの軌道エネルギーの式はどのようであるか。一般式を求める。４−１、地球での光子のミクロの軌道エネルギーの式は、本発明者が考えている１０−４１Ｊ・ｍ÷軌道であるならば、Ｋの値はどれ位か。太陽から出発するエネルギーはどれ位か。５、太陽を出発する光子の軌道を１０−１０ｍとし、１．５×１０１１ｍ走って、地球にたどり着く時の軌道が３×１０−７ｍとなる場合。その理由について。５−１、５の場合（Ｋ＝２×１０８ｍとした場合）、光子１個のエネルギーは走るとどれだけエネルギーを減少させるか。５−２、５の場合（Ｋ＝２×１０８ｍとした場合）、宇宙の軌道に存在する星から出発した光子１個のエネルギーはどれ位か。光子の速度の減速を考慮する。５−３、５の場合（Ｋ＝２×１０８ｍとした場合）、宇宙の軌道に存在する星から出発する光子１個のマクロの軌道エネルギーを求める式はどのようであるか。５−４、５の場合（Ｋ＝２×１０８ｍとした場合）、太陽から出発する光子１個のマクロの軌道エネルギーを求める式はどのようであるか。５−５、５の場合（Ｋ＝２×１０８ｍとした場合）、地球の光子１個のマクロの軌道エネルギーを求める式はどのようであるか。５−６、５の場合（Ｋ＝２×１０８ｍとした場合）、地球の光子１個のミクロの軌道エネルギーを求める式はどのようであるか。６、本発明者は今まで、Ｋ＝９．４８７×１０４ｍとしたが、地球と太陽の距離を一般式で１．５×１０１１ｍとしたので、データーが変わってくる。又、すばる望遠鏡の倍率を３．６×１０５倍としたが、これは誤りである。可視光をたくさん集めただけである。それで、ａとｂの値を新たに計算する。６−１、６の場合（Ｋ＝９．４８７×１０４ｍとした場合）、光子１個のエネルギーは走るとどれだけエネルギーを減少させるか。６−２、６の場合（Ｋ＝９．４８７×１０４ｍとした場合）、宇宙の軌道に存在する星から出発した光子１個のエネルギーはどれくらいか。６−３、６の場合（Ｋ＝９．４８７×１０４ｍとした場合）、宇宙の軌道に存在する星から出発する光子１個のマクロの軌道エネルギーを求める式はどのようであるか。６−４、６の場合（Ｋ＝９．４８７×１０４ｍとした場合）、太陽から出発する光子１個のマクロの軌道エネルギーを求める式はどのようであるか。６−５、６の場合（Ｋ＝９．４８７×１０４ｍとした場合）、地球の光子１個のマクロの軌道エネルギーを求める式はどのようであるか。６−６、６の場合（Ｋ＝９．４８７×１０４ｍとした場合）、地球の光子１個のミクロの軌道エネルギーを求める式はどのようであるか。７、光子の軌道エネルギーの式が適応できる範囲はどのようであるか。８、宇宙の軌道に存在する星から出発するニュートリノ１個のエネルギーを求める式と、ニュートリノ１個のマクロの軌道エネルギーを求める式はどのようであるか。一般式はどのようであるか。８−１、５の場合（Ｋ＝２×１０８ｍとする場合）、宇宙の軌道に存在する星から出発するニュートリノ１個のエネルギーと、ニュートリノ１個のマクロの軌道エネルギーを求める式はどのようであるか。８−２、６の場合（Ｋ＝９．４８７×１０４ｍとする場合）、宇宙の軌道に存在する星から出発するニュートリノ１個のエネルギーと、ニュートリノ１個のマクロの軌道エネルギーを求める式はどのようであるか。９、太陽から出発する光子の軌道について。
【課題を解決するための手段】
【０００４】１、光子は走る事によってエネルギーを減少する。一般式を求める。光子のエネルギーは、ＡＪ×定数÷軌道  である。太陽から出発する光子１個のエネルギーをａ、地球に到着するエネルギーをｂとする。地球と太陽との距離を１．５×１０１１ｍとする。定数＝Ｋとする。ＡＪ＝ａであるから、ＡＪ×定数÷軌道＝ａ×Ｋ÷（２×１．５×１０１１ｍ）＝ｂである。Ｋ＝ｂ／ａ×３×１０１１ｍである。それで、一般式は、Ｅ＝ＡＪ×ｂ／ａ×３×１０１１ｍ÷宇宙の軌道  ＝ＡＪ×Ｋ÷宇宙の軌道  ＝ＡＪ×ｂ／ａ×３×１０１１ｍ÷（２×走った距離）  ＝ＡＪ×Ｋ÷（２×走った距離）  ＝ＡＪ×ｂ／ａ×１．５×１０１１ｍ÷走った距離  ＝ＡＪ×０．５Ｋ÷走った距離  ＝ＡＪ÷｛走った距離÷（ｂ／ａ×１．５×１０１１ｍ）｝  ＝ＡＪ÷（走った距離÷０．５Ｋ）  ＝ＡＪ÷｛走った距離÷（ｂ／ａ×１．５×１０１１ｍ）｝×９／１０×１０／９  ＝ＡＪ÷｛走った距離÷（ｂ／ａ×１．６６７×１０１１ｍ）｝×９／１０  ＝ＡＪ÷（走った距離÷０．５５５６Ｋ）×９／１０  ＝ＡＪ÷｛走った距離÷（ｂ／ａ×１．５×１０１１ｍ）｝×１／２×２  ＝ＡＪ÷｛走った距離÷（ｂ／ａ×３×１０１１ｍ）｝×１／２  ＝ＡＪ÷（走った距離÷Ｋ）×１／２  ＝ＡＪ÷｛走った距離÷（ｂ／ａ×１．５×１０１１ｍ）｝×１／１０×１０  ＝ＡＪ÷｛走った距離÷（ｂ／ａ×１．５×１０１２ｍ）｝×１／１０  ＝ＡＪ÷（走った距離÷５Ｋ）×１／１０即ち、光子はｂ／ａ×１．６６７×１０１１ｍ＝０．５５５６Ｋ走るとエネルギーは９／１０になり、ｂ／ａ×３×１０１１ｍ＝Ｋ走るとエネルギーは１／２になる。但し、走る方向は、軌道に対して垂直な方向であり、エネルギーの小さな方向である。光子は軌道に対して垂直な方向にｂ／ａ×１．５×１０１２ｍ＝５Ｋ走ると、エネルギーは１／１０になる。２、宇宙の軌道に存在する（存在した）星から出発する光子１個のエネルギーはどのようであるか。一般式を求める。宇宙の軌道に存在する星から出発する光子１個が走って地球にたどり着くエネルギーはｂであるから、Ｅ＝ｂである。ｂ＝ＡＪ×ｂ／ａ×１．５×１０１１ｍ÷走った距離ＡＪ＝ｂ÷（ｂ／ａ×１．５×１０１１ｍ）×走った距離    ＝ｂ÷走った距離÷０．５Ｋ    ＝ａ÷（１．５×１０１１ｍ）×走った距離  である。ＡＪ／走った距離＝ａ／（１．５×１０１１ｍ）星から出発した光子のエネルギー／星から地球まで光子が走った距離＝太陽から出発した光子のエネルギー／太陽から地球まで光子が走った距離即ち、光子は走った距離に比例してエネルギーを減少させるということである。光速は１０億年走ると６／１０に減速する。１０億年走ると光速は１．８×１０８ｍで、１億年走ると光速は２．８２×１０８ｍである。それで、１億年までの光速を３×１０８ｍとする。ｃが１億年以下の場合。１億年までの距離は、年数をｃ年とすると、ｃ×９．４６×１０１５ｍである。それで、ＡＪ＝ａ÷（１．５×１０１１ｍ）×ｃ×９．４６×１０１５ｍ    ＝ａ×ｃ×６．３×１０４即ち、１億光年より地球に近い場合、星から出発した光子１個のエネルギー＝太陽から出発した光子１個のエネルギー×６．３×１０４×走った年数  である。ｃが１億年以上の場合。ＡＪ＝ａ÷（１．５×１０１１ｍ）×走った距離  である。３、宇宙の軌道に存在する（存在した）星から出発する光子１個のマクロの軌道エネルギーの式はどのようであるか。一般式を求める。マクロの軌道エネルギーの式をＣ  Ｊ・ｍ÷軌道とする。光子が地球に到着する場合、Ｃ  Ｊ・ｍ÷軌道＝Ｃ  Ｊ・ｍ÷（２×走った距離）＝ｂＣ  Ｊ・  ｍ＝ｂ×２×走った距離よって、式は、Ｃ  Ｊ・ｍ÷軌道＝ｂ×２×走った距離÷軌道  である。又は、ＡＪ×ｂ／ａ×３×１０１１ｍ÷（２×走った距離）＝ｂ  Ｃ  Ｊ・ｍ÷（２×走った距離）＝ｂＣ  Ｊ・  ｍ＝ＡＪ×ｂ／ａ×３×１０１１ｍ＝ＡＪ×Ｋ  である。よって、式は、Ｃ  Ｊ・ｍ÷軌道＝ＡＪ×ｂ／ａ×３×１０１１ｍ÷軌道＝ＡＪ×Ｋ÷軌道  である。４、地球に於ける光子のミクロの軌道エネルギーの式はどのようであるか。一般式を求める。地球での軌道エネルギーは、地球での光子１個のエネルギーをＡＪとすると、ＡＪ×Ｋ÷軌道＝ｂ  である。軌道が１ｍの光子のエネルギーは、ｂ÷Ｋ  である。それで、ミクロの軌道エネルギーの式は、ｂ÷Ｋ÷軌道  である。Ｋ＝ｂ÷ａ×３×１０１１ｍであるから、ｂ÷Ｋ÷軌道＝ｂ÷（ｂ÷ａ×３×１０１１ｍ）÷軌道＝ａ÷（３×１０１１ｍ）÷軌道  である。５、宇宙の軌道に存在する（存在した）星から出発するニュートリノ１個のエネルギーはどれ位か。そして、ニュートリノ１個のマクロの軌道エネルギーの式はどのようであるか。一般式を求める。ニュートリノとラブの軌道エネルギーの式は、０．７５×１０−２５Ｊ・ｍ÷軌道  である。磁気の光子の軌道エネルギーは、１．１×１０−４１Ｊ・ｍ÷軌道  である。ニュートリノとラブの軌道エネルギーは磁気の光子の軌道エネルギーの、０．７５×１０−２５÷（１．１×１０−４１）＝６．８１８×１０１５倍である。それで、ニュートリノ１個のエネルギーは、光子１個のエネルギーの６．８１８×１０１５倍である。ニュートリノ１個のマクロの軌道エネルギーは、光子１個のマクロの軌道エネルギーの６．８１８×１０１５倍である。１、２、３、４、について、Ｋ＝２×１０８ｍの場合と、Ｋ＝９．４８７×１０４ｍの場合について計算する。
【発明の実施態様】
【０００５】１、光子のエネルギーは走るとどれだけエネルギーを減少させるか。その一般式を求める。本発明者は２００４年３月１５日提出した特許願『宇宙の年令における走る速度と、宇宙の光子のエネルギー』の
【請求項４】
で、光子のエネルギーは、１個のエネルギーがＡＪである光子が走った場合、エネルギー＝ＡＪ×９．４８７×１０４ｍ÷（２×走った距離ｍ）であるとした。しかし、９．４８７×１０４の単位はＮでありｍではない。それで、光子が走るとどれだけエネルギーを減少させるかについて、一般式をつくる。太陽から出発する光子は走ってエネルギーを減少させながら地球に到着する。それで、光子が走るとどれだけエネルギーを減少させるかについての一般式は、太陽を出発したエネルギーをａとし、地球に到着するエネルギーをｂとする。定数をＫとし、地球と太陽の距離を１．５×１０１１ｍとする。エネルギー＝ＡＪ×Ｋ÷軌道＝ＡＪ×Ｋ÷（２×走った距離）である。それで、太陽の場合、ＡＪ＝ａであるから、ａ×Ｋ÷軌道＝ｂａ×Ｋ÷（２×１．５×１０１１ｍ）＝ｂであり、Ｋ＝ｂ÷ａ×３×１０１１ｍ  です。それで、一般式は、Ｅ＝ＡＪ×ｂ／ａ×３×１０１１ｍ÷宇宙の軌道  ＝ＡＪ×ｂ／ａ×３×１０１１ｍ÷（２×走った距離）  ＝ＡＪ×Ｋ÷（２×走った距離）  ＝ＡＪ×ｂ／ａ×１．５×１０１１ｍ÷走った距離  ＝ＡＪ÷｛走った距離÷（ｂ／ａ×１．５×１０１１ｍ）｝  ＝ＡＪ÷（走った距離÷０．５Ｋ）  ＝ＡＪ÷｛走った距離÷（ｂ／ａ×１．５×１０１１ｍ）｝×９／１０×１０／９  ＝ＡＪ÷｛走った距離÷（ｂ／ａ×１．６６７×１０１１ｍ）｝×９／１０  ＝ＡＪ÷（走った距離÷０．５５５６Ｋ）×９／１０  ＝ＡＪ÷｛走った距離÷（ｂ／ａ×１．５×１０１１ｍ）｝×１／２×２  ＝ＡＪ÷｛走った距離÷（ｂ／ａ×３×１０１１ｍ）｝×１／２  ＝ＡＪ÷（走った距離÷Ｋ）×１／２  ＝ＡＪ÷｛走った距離÷（ｂ／ａ×１．５×１０１１ｍ）｝×１／１０×１０  ＝ＡＪ÷｛走った距離÷（ｂ／ａ×１．５×１０１２ｍ）｝×１／１０    ＝Ａ÷（走った距離÷５Ｋ）×１／１０即ち、光子は、走った距離÷（ｂ／ａ×１．６６７×１０１１ｍ）＝Ｉ走った距離＝ｂ／ａ×１．６６７×１０１１ｍ＝０．５５５６Ｋ走るとエネルギーは９／１０になり、ｂ／ａ×３×１０１１ｍ＝Ｋ走るとエネルギーは１／２になる。但し、走る方向は、軌道に対して垂直な方向であり、エネルギーの小さな方向である。光子は軌道に対して垂直な方向にｂ／ａ×１．５×１０１２ｍ＝５Ｋ走ると、エネルギーは１／１０になる。２、宇宙の軌道に存在する（存在した）星から出発した光子１個のエネルギーはどのようであるか。一般式を求める。宇宙の軌道に存在する星から出発する１個の光子が走って地球にたどり着くエネルギーはｂであるから、エネルギー＝ｂである。ＡＪ×ｂ／ａ×１．５×１０１１÷走った距離＝ｂＡＪ＝ｂ÷（ｂ／ａ×１．５×１０１１ｍ）×走った距離    ＝ｂ×ａ／ｂ÷（１．５×１０１１ｍ）×走った距離    ＝ａ÷（１．５×１０１１ｍ）×走った距離ＡＪ／走った距離＝ａ／（１．５×１０１１ｍ）星から出発した光子のエネルギー／星から地球まで光子が走った距離＝太陽から出発した光子のエネルギー／太陽から光子が走った距離即ち、光子は走った距離に比例してエネルギーを減少させるということである。星から地球まで走った距離は地球と星との距離です。この距離は、１億年未満までは、光速は約３×１０８ｍとして計算できます。１０億年走ると、速度は６／１０に減速します。それで、１０億年走ると光速は１．８×１０８��で、１億年走ると光速は２．８２×１０８ｍです。１億年未満の場合、星が存在した軌道を地球からｃ年とすると、距離はｃ×９．４６×１０１５ｍですから、ＡＪ／（ｃ×９．４６×１０１５ｍ）＝ａ／（１．５×１０１１ｍ）ＡＪ＝ａ÷（１．５×１０１１ｍ）×ｃ×９．４６×１０１５ｍ    ＝ａ×ｃ×６．３×１０４よって、星から出発した光子１個のエネルギーの一般式は、星から出発した光子１個のエネルギー＝太陽から出発した光子１個のエネルギー×６．３×１０４×ｃ年即ち、１億年未満に星から出発した光子１個のエネルギーは太陽から出発した光子１個のエネルギー×６．３×１０４×走った年数  である。ｃが１億年以上の場合は、ＡＪ＝走った距離×ａ÷（１．５×１０１１ｍ）  である。３、宇宙の軌道に存在する（存在した）星から出発する光子のマクロの軌道エネルギーを求める式はどのようであるか。一般式を求める。宇宙の軌道に存在する星から出発する光子のマクロの軌道エネルギーを求める式は、Ｃ  Ｊ・ｍ÷軌道＝Ｃ  Ｊ・ｍ÷（２×走った距離）である。光子が地球に到着する場合、Ｃ  Ｊ・ｍ÷（２×走った距離）＝ｂＣ  Ｊ・ｍ＝ｂ×２×走った距離ｍ  であるから、式は、Ｃ  Ｊ・ｍ÷軌道＝ｂ×２×走った距離ｍ÷軌道＝ｂ×２×光子が星から地球まで走った距離ｍ÷軌道  である。また、Ｃ  Ｊ・ｍ÷軌道＝ｂ                  ｂ＝ａ×Ｋ÷（２×１．５×１０１１ｍ）であるから、                  Ｋ＝ｂ／ａ×３×１０１１ｍ    である。ＡＪ×ｂ／ａ×３×１０１１ｍ÷（２×走った距離ｍ）＝ｂ  であり、ＣＪ・ｍ÷（２×走った距離ｍ）＝ｂ  であるから、Ｃ  Ｊ・ｍ＝ＡＪ×ｂ／ａ×３×１０１１ｍ＝ＡＪ×Ｋ  である。よって、宇宙の軌道に存在する星から出発する光子のマクロの軌道エネルギーの一般式は、Ｃ  Ｊ・ｍ÷軌道＝ＡＪ×ｂ／ａ×３×１０１１ｍ÷軌道＝ＡＪ×Ｋ÷軌道  である。４、地球に於ける光子のミクロの軌道エネルギーの式はどのようであるか。一般式を求める。地球での、軌道エネルギーは、地球での光子１個のエネルギーをＡＪとすると、ＡＪ×Ｋ÷軌道＝ｂである。軌道１ｍの光子１個のエネルギーは、ＡＪ×Ｋ÷１＝ｂＡＪ＝ｂ÷Ｋ  である。地球で、軌道が１ｍである光子のエネルギーは、ｂ÷Ｋである。それで、ミクロの軌道エネルギーは、ｂ÷Ｋ÷軌道  である。Ｋ＝ｂ÷ａ×３×１０１１ｍであるから、ｂ÷Ｋ÷軌道＝ｂ÷（ｂ÷ａ×３×１０１１ｍ）÷軌道＝ａ÷（３×１０１１ｍ）÷軌道  である。よって、地球に於ける光子のミクロの軌道エネルギーの一般式は、ｂ÷Ｋ÷軌道＝ａ÷（３×１０１１ｍ）÷軌道  である。４−１、地球での光子のミクロの軌道エネルギーの式が、本発明者の考えている、１０−４１Ｊ・ｍ÷軌道であるならば、Ｋの値はどれ位か。ａの値はどれ位か。地球に到着するエネルギーを６．６７×１０−３５Ｊであるとすると、一般式より、ｂ÷Ｋ＝１０−４１Ｊ・ｍ  であるから、Ｋ＝ｂ÷１０−４１Ｊ・ｍ＝６．６７×１０−３５Ｊ÷１０−４１Ｊ・ｍ＝６．６７×１０６ｍ  である。Ｋ＝６．６７×１０６ｍである。一般式より、ａ÷（３×１０１１ｍ）＝１０−４１Ｊ・ｍであるから、ａ＝１０−４１Ｊ・ｍ×３×１０１１ｍ＝３×１０−３０Ｊａ＝３×１０−３０Ｊこの軌道は、１０−４１Ｊ・ｍ÷（３×１０−３０Ｊ）＝３．３×１０−１２ｍ  である。即ち、Ｋ＝６．６��×１０６ｍで、ａ＝３×１０−３０Ｊの場合、地球の光子１個のミクロの軌道エネルギーは、１０−４１Ｊ・ｍ÷軌道である。５、太陽を出発する光子の軌道は１０−１０ｍで、１．５×１０１１ｍ走って、地球にたどり着く時の軌道が１．５×１０−７になる場合。その理由について。地球に到着する光子は紫色を排斥する。それで、光子の波長は紫色の波長より短い。それで、地球にたどり着く光子の波長を３×１０７ｍとする。太陽の中の軌道は中央に行くにしたがって軌道は、１０−１０ｍ、１０−１１ｍ、１０−１２ｍ、１０−１３ｍ、１０−１４ｍ、１０−１５ｍ、となっている。太陽の外側の軌道は、水素原子の外側を回転する磁気の光子（＝特性Ｘ線や連続Ｘ線）を排斥する軌道であるから、１０−１０ｍとする。太陽の外側からは全て１０−１０ｍの光子が出発する。地球にたどり着く光子の波長は３×１０−７ｍであるので、軌道は１．５×１０−７ｍである。このエネルギーはどれ位であるか。本発明者は今まで、磁気の光子の軌道エネルギーの式を、１．１×１０−４１Ｊ・ｍ÷軌道  として計算したが、これからは、１０−４１Ｊ・ｍ÷軌道  として計算します。それで、１０−４１Ｊ・ｍ÷（１．５×１０−７ｍ）＝６．６７×１０−３５Ｊ  である。ｂ＝６．６７×１０−３５Ｊ  である。太陽を出発する光子のエネルギーは、１０−４１Ｊ・ｍ÷１０−１０ｍ＝１０−３１Ｊ  である。ａ＝１０−３１Ｊ  である。Ｋは、Ｋ＝ｂ÷ａ×３×１０１１ｍ＝６．６７×１０−３５Ｊ÷１０−３１Ｊ×３×１０１１ｍ＝２×１０８ｍ  である。５−１、５の場合（Ｋ＝２×１０８とした場合）。光子のエネルギーは走るとどれだけエネルギーを減少させるか。一般式より、エネルギー＝ＡＪ÷｛走った距離÷（６．６７×１０−３５Ｊ÷１０−３１Ｊ×１．５×１０１１）｝          ＝ＡＪ÷（走った距離÷１０８）          ＝ＡＪ÷走った距離×１０８×９／１０×１０／９          ＝ＡＪ÷｛走った距離÷（１．１１×１０８）｝×９／１０          ＝ＡＪ÷走った距離×１０８×０．５×２          ＝ＡＪ÷｛走った距離÷（２×１０８）｝×０．５          ＝ＡＪ÷走った距離×１０８×０．１×１０          ＝ＡＪ÷（走った距離÷１０９）×０．１光子は１．１１×１０８ｍ走ってエネルギーを９／１０に減少させる。光子は２×１０８ｍ走ってエネルギーを１／２に減少させる。光子は１０９ｍ走ってエネルギーを１／１０に減少させる。地球の円周は約４×１０７ｍであるから、２×１０８ｍ÷（４×１０７ｍ）＝５、地球を５週すると、光子のエネルギーは１／２に減少する。５−２、５の場合（Ｋ＝２×１０８とした場合）。宇宙の軌道に存在する（存在した）星から出発した光子１個のエネルギーはどれ位か。光子の速度の減速を考慮する。光子の速度は１０億年で６／１０になり、１．８×１０８ｍである。光速は、１０年で２．９９９９９９９８２×１０８ｍ、１００年で２．９９９９９９８２×１０８ｍ、１０００年で２．９９９９９８２×１０８ｍ、１万年で２．９９９９８２×１０８ｍ、１０万年で２．９９９８２×１０８ｍ、１００万年で２．９９８２×１０８ｍ、１０００万年で２．９８２×１０８ｍ、１億年で２．８２×１０８ｍ、１０億年で１．８×１０８ｍ、１００億年で１．８×１０７ｍである。それで、１億年までの光子の���度を約３×１０８ｍとみなす。ｃが１億年以下の場合。１億光年より地球に近い場合、軌道はｃ光年である。そして、星から出発するエネルギーＡＪは、一般式より、ＡＪ＝ａ×ｃ×６．３×１０４＝１０−３１Ｊ×ｃ×６．３×１０４＝６．３×１０−２７Ｊ×ｃ  である。それで、地球から１光年の軌道の星から出発した光子のエネルギーは、６．３×１０−２７Ｊである。１０光年の軌道の星から出発した光子のエネルギーは６．３×１０−２６Ｊである。１００光年は６．３×１０−２５Ｊ、１０００光年は６．３×１０−２４Ｊ、１万光年は６．３×１０−２３Ｊ、１０万光年は６．３×１０−２２Ｊ、１００万光年は６．３×１０−２１Ｊ、１０００万光年は６．３×１０−２０Ｊ、１億光年は６．３×１０−１９Ｊである。ｃが１億年以上の場合。光子が１億年で走った距離＝１０８年×９．４６×１０１５ｍ＝９．４６×１０２３ｍである。光子が１０億年で走った距離＝１億年で走る距離＋９億年で走る距離。９億年で走る距離は、１億年の速度は２．８２×１０８ｍであるから、２．８２×１０８ｍ×９×１０８年×３．１５３６×１０７秒＝８×１０２４ｍ  である。それで、光子が１０億年間に走った距離＝９．４６×１０２３ｍ＋８×１０２４ｍ＝８．９４６×１０２４ｍ  である。１０億年から１５０億年の光子の速度、及び、走った時間と走った距離は次のようである。2005020996.tif 000003
そして、一般式より、ＡＪ＝ａ÷（１．５×１０１１ｍ）×走った距離    ＝１０−３１Ｊ÷（１．５×１０１１ｍ）×走った距離    ＝６．６７×１０−４３Ｊ×走った距離  ですから、１０億年まで走った距離は、８．９４６×１０２４ｍですから、１０億年の軌道に存在する星から走ってきた光子が地球に可視光（６．６７×１０−３５Ｊとする。）で到達する場合、その軌道に存在する星から出発した光子のエネルギーは、ＡＪ＝６．６７×１０−４３Ｊ×８．９４６×１０２４ｍ＝５．９６７×１０−１８Ｊ  である。宇宙の軌道に存在する星から出発する光子１個のエネルギーを記す。（Ｋ＝２×１０８ｍの場合）。2005020996.tif 000004
５−３、５の場合（Ｋ＝２×１０８ｍとした場合）。宇宙の軌道に存在する星から出発する光子１個のマクロの軌道エネルギーを求める式はどのようであるか。一般式から、Ｃ  Ｊ・ｍ÷軌道＝ＡＪ×ｂ／ａ×３×１０１１ｍ÷軌道  であるから、ａ＝１０−３１Ｊとｂ＝６．６７×１０−３５Ｊを代入する。Ｃ  Ｊ・ｍ÷軌道＝ＡＪ×６．６７×１０−３５Ｊ÷１０−３１Ｊ×３×１０１１ｍ÷軌道                ＝ＡＪ×２×１０８ｍ÷軌道。宇宙の軌道の星から出発する光子のマクロの軌道エネルギーを求める式を示す。（Ｋ＝２×１０８ｍの場合）。2005020996.tif 000005
５−４、５の場合（Ｋ＝２×１０８ｍとした場合）。太陽から出発する光子１個のマクロの軌道エネルギーの式はどのようであるか。太陽から出発する光子１個のエネルギーは、１０−３１Ｊであるから、一般式より、Ｃ  Ｊ・ｍ÷軌道＝ＡＪ×Ｋ÷軌道＝１０−３１Ｊ×２×１０８ｍ÷軌道＝２×１０−２３Ｊ・ｍ÷軌道  である。太陽の光子のマクロの軌道エネルギーの式は、２×１０−２３Ｊ・ｍ÷軌道  である。５−５、５の場合（Ｋ＝２×１０８ｍとした場合）。地球の光子１個のマクロの軌道エネルギーを求める式はどのようであるか。地球の光子１個のエネルギーは６．６７×１０−３５Ｊであるから、地球の光子のマクロの軌道エネルギーの式は、一般式より、ＡＪ×Ｋ÷軌道＝ＡＪ×２×１０８ｍ÷軌道＝６．６７×１０−３５Ｊ×２×１０８ｍ÷軌道＝１．３３４×１０−２６Ｊ・ｍ÷軌道  である。地球の光子のマクロの軌道エネルギーの式は、１．３３４×１０−２６Ｊ・ｍ÷軌道  である。５−６、５の場合（Ｋ＝２×１０８ｍとした場合）。地球の光子１個のミクロの軌道エネルギーを求める式はどのようであるか。地球での光子のミクロの軌道エネルギーの式は、一般式より、ａ÷（３×１０１１ｍ）÷軌道＝１０−３１Ｊ÷（３×１０１１ｍ）÷軌道＝３．３×１０−４３Ｊ・ｍ÷軌道  である。地球でのミクロの軌道エネルギーの式は、３．３×１０−４３Ｊ・ｍ÷軌道  である。５の場合（Ｋ＝２×１０８の場合）。太陽と地球のまとめを記す。2005020996.tif 000006
６、本発明者が今まで考えてきたように、軌道エネルギーを、ＡＪ×９．４８７×１０４ｍ÷軌道とする場合、太陽と地球の距離を１．５×１０１１ｍとしたのでデーターが変わってくる。すばるの倍率を３．６×１０５倍としたがこれは誤りである。倍率は１である。それで、Ｋ＝ｂ／ａ×３×１０１１＝９．４８７×１０４となるようにａとｂの値を新たにする。  ｂ＝６．６７×１０−３５Ｊとする。ａ＝６．６７×１０−３５Ｊ×３×１０１１÷（９．４８７×１０４）＝２．１０９×１０−２８Ｊ  である。この軌道は、１０−４１Ｊ・ｍ÷（２．１０９×１０−２９Ｊ）＝４．７４×１０−１４ｍ  である。６−１、６の場合（Ｋ＝９．４８７×１０４ｍとした場合）。光子１個のエネルギーは走るとどれだけエネルギーを減少させるか。一般式より、光子のエネルギーは、６．６７×１０−３５Ｊ÷（２．１１×１０−２８Ｊ）×１．６６７×１０１１ｍ＝５．２７×１０４ｍ＝０．５５５６×Ｋ走ると９／１０になり、６．６７×１０−３５Ｊ÷（２．１１×１０−２８Ｊ）×３×１０１１ｍ＝９．４８３×１０４ｍ＝Ｋ走ると１／２になり、６．６７×１０−３５Ｊ÷（２．１１×１０−２８Ｊ）×１．５×１０１２ｍ＝４．４７×１０５ｍ＝５Ｋ  走ると１／１０になる。６−２、６の場合（Ｋ＝９．４８７×１０４ｍとした場合）。宇宙の軌道に存在する星から出発した光子１個のエネルギーはどのようであるか。一般式より、ｃが１億年以下の場合は、ＡＪ＝ａ×ｃ×６．３×１０４  である。ｃが１億年以上の場合は、ＡＪ＝走った距離×ａ÷（１．５×１０１１ｍ）であるから、１光年のＡＪ＝２．１１×１０−２８Ｊ×１×６．３×１０４＝１．３２９×１０−２３Ｊ１０光年のＡＪ＝１．３２９×１０−２２Ｊ１００光年のＡＪ＝１．３２９×１０−２１Ｊ１０００光年のＡＪ＝１．３２９×１０−２０Ｊ１万光年のＡＪ＝１．３２９×１０−１９Ｊ１０万光年のＡＪ＝１．３２９×１０−１８Ｊ１００万光年のＡＪ＝１．３２９×１０−１７Ｊ１０００万光年のＡＪ＝１．３２９×１０−１６Ｊ１億光年のＡＪ＝１．３２９×１０−１５Ｊ１０億年までのＡＪ＝８．９４６×１０２４ｍ×２．１１×１０−２８Ｊ÷（１．５×１０１１ｍ）＝１．２５８×１０−１４Ｊ１０億年代のＡＪ＝１４．６２３×１０２４ｍ×２．１１×１０−２８Ｊ÷（１．５×１０１１ｍ）＝２．０５７×１０−１４Ｊ２０億年代のＡＪ＝１７．４６１×１０２４ｍ×２．１１×１０−２８Ｊ÷（１．５×１０１１ｍ）＝２．４５６×１０−１４Ｊ３０億年代のＡＪ＝１９．３５３×１０２４ｍ×２．１１×１０−２８Ｊ÷（１．５×１０１１ｍ）＝２．７２２×１０−１４Ｊ４０億年代のＡＪ＝２０．７７２×１０２４ｍ×２．１１×１０−２８Ｊ÷（１．５×１０１１ｍ）＝２．９２２×１０−１４Ｊ５０億年代のＡＪ＝２１．９０７×１０２４ｍ×２．１１×１０−２８Ｊ÷（１．５×１０１１ｍ）＝３．０８１×１０−１４Ｊ６０億年代のＡＪ＝２２．８５３×１０２４ｍ×２．１１×１０−２８Ｊ÷（１．５×１０１１ｍ）＝３．２１５×１０−１４Ｊ７０億年代のＡＪ＝２３．６６４×１０２４ｍ×２．１１×１０−２８Ｊ÷（１．５×１０１１ｍ）＝３．３２９×１０−１４Ｊ８０億年代のＡＪ＝２４．３７３×１０２４ｍ×２．１１×１０−２８Ｊ÷（１．５×１０１１ｍ）＝３．４２��×１０−１４Ｊ９０億年代のＡＪ＝２５．００４×１０２４ｍ×２．１１×１０−２８Ｊ÷（１．５×１０１１ｍ）＝３．５１７×１０−１４Ｊ１００億年代のＡＪ＝２５．５７２×１０２４ｍ×２．１１×１０−２８Ｊ÷（１．５×１０１１ｍ）＝３．５９７×１０−１４Ｊ１１０億年代のＭ＝２６．０７６×１０２４ｍ×２．１１×１０−２８Ｊ÷（１．５×１０１１ｍ）＝３．６６８×１０−１４Ｊ１２０億年代のＡＪ＝２６．５４９×１０２４ｍ×２．１１×１０−２８Ｊ÷（１．５×１０１１ｍ）＝３．７３５×１０−１４Ｊ１３０億年代のＡＪ＝２６．９８６×１０２４ｍ×２．１１×１０−２８Ｊ÷（１．５×１０１１ｍ）＝３．７９６×１０−１４Ｊ１４０億年代のＡＪ＝２７．３９２×１０２４ｍ×２．１１×１０−２８Ｊ÷（１．５×１０１１ｍ）＝３．８５３×１０−１４Ｊ６−３、６の場合（Ｋ＝９．４８７×１０４ｍとした場合）。宇宙の軌道に存在する星から出発する光子１個のマクロの軌道エネルギーを求める式はどのようであるか。一般式より、Ｃ  Ｊ・ｍ÷軌道＝ＡＪ×Ｋ÷軌道  であるから、１光年では、１．３２９×１０−２３Ｊ×９．４８７×１０４ｍ÷軌道＝１．２６１×１０−１８Ｊ・ｍ÷軌道１０光年では、１．２６１×１０−１７Ｊ・ｍ÷軌道１００光年では、１．２６１×１０−１６Ｊ・ｍ÷軌道１０００光年では、１．２６１×１０−１５Ｊ・ｍ÷軌道１万光年では、１．２６１×１０−１４Ｊ・ｍ÷軌道１０万光年では、１．２６１×１０−１３Ｊ・ｍ÷軌道１００万光年では、１．２６１×１０−１２Ｊ・ｍ÷軌道１０００万光年では、１．２６１×１０−１１Ｊ・ｍ÷軌道１億光年では、１．２６１×１０−１０Ｊ・ｍ÷軌道１０億年までは、１．２５８×１０−１４Ｊ×９．４８７×１０４ｍ÷軌道＝１．１９３×１０−９Ｊ・ｍ÷軌道１０億年代では、２．０５７×１０−１４Ｊ×９．４８７×１０４ｍ÷軌道＝１．９５１×１０−９Ｊ・ｍ÷軌道２０億年代では、２．４５６×１０−１４Ｊ×９．４８７×１０４ｍ÷軌道＝２．３３０×１０−９Ｊ・ｍ÷軌道３０億年代では、２．７２２×１０−１４Ｊ×９．４８７×１０４ｍ÷軌道＝２．５８２×１０−９Ｊ・ｍ÷軌道４０億年代では、２．９２２×１０−１４Ｊ×９．４８７×１０４ｍ÷軌道＝２．７７２×１０−９Ｊ・ｍ÷軌道５０億年代では、３．０８１×１０−１４Ｊ×９．４８７×１０４ｍ÷軌道＝２．９２３×１０−９Ｊ・ｍ÷軌道６０億年代では、３．２１５×１０−１４Ｊ×９．４８７×１０４ｍ÷軌道＝３．０５０×１０−９Ｊ・ｍ÷軌道７０億年代では、３．３２９×１０−１４Ｊ×９．４８７×１０４ｍ÷軌道＝３．１５８×１０−９Ｊ・ｍ÷軌道８０億年代では、３．４２８×１０−１４Ｊ×９．４８７×１０４ｍ÷軌道＝３．２５２×１０−９Ｊ・ｍ÷軌道９０億年代では、３．５１７×１０−１４Ｊ×９．４８７×１０４ｍ÷軌道＝３．３３７×１０−９Ｊ・ｍ÷軌道１００億年代では、３．５９７×１０−１４Ｊ×９．４８７×１０４ｍ÷軌道＝３．４１２×１０−９Ｊ・ｍ÷軌道１１０億年代では、３．６６８×１０−１４Ｊ×９．４８７×１０４ｍ÷軌道＝３．４８０×１０−９Ｊ・ｍ÷軌道１２０億年代では、３．７３５×１０−１４Ｊ×９．４８７×１０４ｍ÷軌道＝３．５４３×１０−９Ｊ・ｍ÷軌道１３０億年代では、３．７９６×１０−１４Ｊ×９．４８７×１０４ｍ��軌道＝３．６０１×１０−９Ｊ・ｍ÷軌道１４０億年代では、３．８５３×１０−１４Ｊ×９．４８７×１０４ｍ÷軌道＝３．６５５×１０−９Ｊ・ｍ÷軌道６−４、６の場合（Ｋ＝９．４８７×１０４ｍとした場合）。太陽から出発する光子１個のマクロの軌道エネルギーを求める式はどのようであるか。太陽から出発する光子１個のエネルギーは２．１１×１０−２８Ｊであるから、一般式より、Ｃ  Ｊ・ｍ÷軌道＝ＡＪ×Ｋ÷軌道＝２．１１×１０−２８Ｊ×９．４８７×１０４ｍ÷軌道＝２×１０−２３Ｊ・ｍ÷軌道  である。太陽の光子のマクロの軌道エネルギーの式は、２×１０−２３Ｊ・ｍ÷軌道  である。６−５、６の場合（Ｋ＝９．４８７×１０４ｍとした場合）。地球の光子１個のマクロの軌道エネルギーの式はどのようであるか。地球の光子１個のエネルギーは６．６７×１０−３５Ｊであるから、一般式より、Ｃ  Ｊ・ｍ÷軌道＝ＡＪ×Ｋ÷軌道＝６．６７×１０−３５Ｊ×９．４８７×１０４ｍ÷軌道＝６．３２８×１０−３０Ｊ・ｍ÷軌道  である。地球の光子のマクロの軌道エネルギーの式は６．３２８×１０−３０Ｊ・ｍ÷軌道である。６−６、６の場合（９．４８７×１０４ｍとした場合）。地球の光子１個のミクロの軌道エネルギーを求める式はどのようであるか。地球での光子のミクロの軌道エネルギーの式は、一般式より、ａ÷（３×１０１１ｍ）÷軌道＝２．１１×１０−２８Ｊ÷（３×１０１１ｍ）÷軌道＝７．０３３×１０−４０Ｊ・ｍ÷軌道  である。地球での光子のミクロの軌道エネルギーの式は、７．０３３×１０−４０Ｊ・ｍ÷軌道  である。次に、６の場合の宇宙の軌道に存在する（存在した）星から出発する光子１個のエネルギーとマクロの軌道エネルギーを求める式を示す。（Ｋ＝９．４８７×１０４ｍの場合）。2005020996.tif 000007
2005020996.tif 000008
７、光子の軌道エネルギーの式が適応できる範囲はどのようであるか。光子の軌道エネルギーの式が適応できる範囲は、その軌道よりエネルギーの小さい軌道に限る。例えば、１００万光年の式を使って、１０００万光年の光子の軌道エネルギーは計算できない。太陽の式を使って、惑星の軌道エネルギーは計算できるが、星の軌道エネルギーは計算できない。例えば、１００万光年の式を使って、１０光年の軌道エネルギーを計算すると、これは１００万光年の軌道からエネルギーの小さな方向に１０光年離れた軌道の光子のエネルギーである。８、宇宙の軌道に存在する（存在した）星から出発するニュートリノ１個のエネルギーを求める式と、ニュートリノ１個のマクロの軌道エネルギーを求める式はどのようであるか。一般式を求める。本発明者は２００４年２月２７日提出の特願２００４−９０５４３の『宇宙の軌道における光子の軌道エネルギーの式』まで、光子を磁気の光子と記してきた。それは、光子には２種類あるからである。１つは電気の光子で、１つは磁気の光子である。電気の光子は、ラブの周囲をラブと同じ方向に回転する光子である。磁気の光子はラブの回転をクロス回転する光子である。電気の光子はニュートリノである。それで、２００４年５月１５日の特許願いから、電気の光子をニュートリノと記し、磁気の光子を光子と記すようにした。それでも、原子の中でクロス回転する光子は空中を走る光子と区別するために、磁気の光子と記す。原子の中をクロス回転する光子は磁気の光子と記し、回転から排斥され、放出し、波型に走るのを光子と記す。ニュートリノ及びラブの軌道エネルギーは、特願２００３−１４７０１２の『スピン及び原子の軌道エネルギー』の中の
【請求項４】
【請求項５】
に記した。即ち、原子核の大きさを１０−１５ｍとすると、陽子のラブと中性子のラブ（＝陽子のラブ）は１／２×１０−１５ｍの軌道を回転していて、この軌道のエネルギーは１．５×１０−１０Ｊである。それで、１０−１５ｍの軌道エネルギーは０．７５×１０−１０Ｊである。よって、原子の軌道エネルギーは、０．７５×１０−２５Ｊ・ｍ÷軌道  である。原子の軌道とは、ラブの軌道であり、ラブと一緒に回転しているニュートリノの軌道である。それで、ニュートリノとラブの軌道エネルギーの式は、０．７５×１０−２５Ｊ・ｍ÷軌道  である。一方、クロス回転する磁気の光子の軌道エネルギーの式は、１．１×１０−４１Ｊ・ｍ÷軌道  である。光子のミクロの軌道エネルギーの式も、１．１×１０−４１Ｊ・ｍ÷軌道  である。それで、ニュートリノとラブの軌道エネルギーは、光子の軌道エネルギーの０．７５×１０−２５÷（１．１×１０−４１）＝６．８１８×１０１５（倍）である。しかし、ラブは星から出発しない。星から出発するのは、ニュートリノだけである。それで、宇宙の軌道の星から出発するニュートリノ１個のエネルギーを求める一般式は、宇宙の軌道の星から出発するニュートリノ１個のエネルギー＝６．８１８×１０１５×宇宙の軌道の星から出発する光子１個のエネルギー＝６．８１８×１０１５×ＡＪ  である。それで、ニュートリノ１個のマクロの軌道エネルギーを求める一般式は、光子１個の軌道エネルギー×Ｋ×６．８１８×１０１５÷軌道  である。光子の軌道エネルギーの式の６．８１８×１０１５倍のエネルギーである。８−１、５の場合（Ｋ＝２×１０８ｍとした場合）。宇宙の軌道に存在する星から出発するニュートリノ１個のエネルギーと、ニュートリノ１個のマクロの軌道エネルギーを求める式はどれだけか。宇宙の軌道に存在する星から出発するニュートリノ１個のエネルギーと、ニュートリノ１個のマクロの軌道エネルギーを求める式を記す。太陽から出発するニュートリノ１個のエネルギーと、ニュートリノ１個のマクロの軌道エネルギーを求める式を記す。地球に於けるニュートリノ１個のエネルギーと、ニュートリノ１個のマクロの軌道エネルギーを求める式と、ミクロの軌道エネルギーを求める式を記す。（Ｋ＝２×１０８ｍとした場合）。2005020996.tif 000009
2005020996.tif 000010
８−２、６の場合（Ｋ＝９．４８７×１０４ｍとした場合）。宇宙の軌道に存在する（存在した）星から出発するニュートリノ１個のエネルギーと、ニュートリノ１個のマクロの軌道エネルギーを求める式はどれくらいか。一般式によって得られた、宇宙の軌道の星から出発するニュートリノ１個のエネルギーと、ニュートリノ１個のマクロの軌道エネルギーを求める式を記す。太陽から出発するニュートリノ１個のエネルギーと、ニュートリノ１個のマクロの軌道エネルギーを求める式を記す。地球に於けるニュートリノ１個のエネルギーと、ニュートリノ１個のマクロの軌道エネルギーを求める式と、ミクロの軌道エネルギーを求める式を記す。（Ｋ＝９．４８７×１０４ｍの場合）。2005020996.tif 000011
2005020996.tif 000012
９、  太陽から出発する光子の軌道について。  ５、では太陽から出発する光子の軌道を１０−１０ｍとし、６、ではＫ＝９．４８７×１０４ｍとし、これについて考えてきた。それで、太陽から出発する光子の軌道について再考し、Ｋとミクロの軌道エネルギーの式を求める。太陽から光子が出発する原理は、水素原子の磁気の光子が排斥し、放出する事である。太陽の中央になるに従い、高エネルギーで軌道は小さくなる。中央になるに従い、より小さな軌道の磁気の光子やニュートリノが排斥される。そして、中央で排斥された光子やニュートリノは自分の軌道を、周囲の光子の軌道にあわせ、次第に軌道を大きくしながら太陽の外側に進む。この場合、光子やニュートリノは走るのではない。光子やニュートリノは排斥された状態で回転している。それで、太陽の中の光子は磁気の光子のように回転している。磁気の光子と異なる点はクロス回転ではなくただの回転であることである。これで、光子は３つの状態に分類される。１つはクロス回転する磁気の光子。２つは太陽の中の光子で回転する光子。３つは走る光子である。ニュートリノも同じように分類される。１つはラブの外側をラブの回転方向に回転するニュートリノである。２つは太陽の中のニュートリノで回転するニュートリノである。３つは走るニュートリノである。そして、太陽の外側から出発する光子の軌道は、太陽の外側の光子の軌道とほぼ同じである。太陽の外側に存在する光子の軌道より少し大きい軌道である。太陽の外側の光子の軌道は、水素原子の外側の磁気の光子の軌道である。太陽の外側の光子の軌道の大きさは水素原子の外側をクロス回転している磁気の光子（＝特性Ｘ線や連続Ｘ線が回転している。）の軌道より少し小さい軌道である。それで、外側を回転している磁気の光子（＝特性Ｘ線や連続Ｘ線が回転している。）は排斥され、放出する。磁気の光子（＝クロス回転している特性Ｘ線や連続Ｘ線）が放出し、光子（Ｘ線）と成って走る。太陽の外側の光子の軌道は、水素原子の外側を回転する特性Ｘ線の軌道より少し小さい。それで、太陽の中で排斥された光子とニュートリノは、自分の軌道を大きくしながら太陽の外側まで進み、太陽の外側の光子の軌道と同じ軌道になって、太陽を出発する。Ｌｉの特性Ｘ線は２３×１０−９ｍである。水素の特性Ｘ線はこれより波長は長い。それで、水素の特性Ｘ線の波長を３０×１０−９ｍとする。この軌道は１５×１０−９ｍである。▲１▼太陽の外側の軌道を１．５×１０−８ｍとする場合。このエネルギーは、１０−４１Ｊ・ｍ÷（１．５×１０−８ｍ）＝６．６７×１０−３４Ｊである。Ｋ＝６．６７×１０−３５÷（６．６７×１０−３４Ｊ）×３×１０１１ｍ＝３×１０１０ｍ地上での光子のミクロの軌道エネルギーの式は、６．６７×１０−３４Ｊ÷（３×１０１１ｍ）÷軌道＝２．２２×１０−４５Ｊ・ｍ÷軌道  である。▲２▼陽の外側の軌道を１０−８ｍとする場合。このエネルギーは、１０−４１Ｊ・ｍ÷１０−８ｍ＝１０−３３Ｊ  である。Ｋ＝６．６７×１０−３５Ｊ÷１０−３３Ｊ×３×１０１１ｍ＝２×１０１０ｍ地上での光子のミクロの軌道エネルギーの式は、１０−３３Ｊ÷（３×１０１１ｍ）÷軌道＝３．３×１０−４５Ｊ・ｍ÷軌道  である。▲１▼場合と▲２▼の場合と５の場合と４−１の場合と６の場合をまとめて表にする。2005020996.tif 000013
【発明の効果】
【０００６】１、太陽から出発するエネルギーと地球に到着するエネルギーを正確に測定する事によって、Ｋの値が解る。そして、一般式によって、光子はどれ位走って、どれ位エネルギーを減少させるのか理解できる。Ｋの値によって光子のエネルギーの減少が解る。２、一般式によって、宇宙の軌道の星から出発する光子１個のエネルギーが簡単に計算できる。３、一般式によって、宇宙の軌道の星から出発する光子が走るとき、光子のマクロの軌道エネルギーがどのようになるかを簡単に理解できる。光子のマクロの軌道エネルギーの式を簡単に計算できる。４、一般式によって、ａ＝太陽から出発する光子１個のエネルギーが解ると、地球でのミクロの軌道エネルギーの式が解る。この事によって、光子のミクロの軌道エネルギーの式が得られる。５、一般式から、宇宙の軌道の星から出発するニュートリノ１個のエネルギーが計算できる。６、宇宙の軌道の星から出発するニュートリノ１個が走る時、どのようなマクロの軌道エネルギーになるか理解できる。７、太陽の外側の光子の軌道は水素の特性Ｘ線や連続Ｘ線の軌道より少し短い事から、太陽を出発する光子の軌道が理解できる。この事によって、Ｋの値は９．４８７×１０４ではない事が理解できた。８、太陽の中の光子は回転している。この事によって、原子の中の光子は回転している事が明らかになった。光子は３つの状態に分類される事が解った。
【図面の簡単な説明】
【図１】Ｋ＝２×１０８ｍの場合。宇宙の軌道に存在する（存在した）星から出発する光子１個のエネルギーと、光子が走るときのマクロの軌道エネルギーの式と、ニュートリノ１個のエネルギーと、ニュートリノが走るときのマクロの軌道エネルギーの式と、太陽から出発する光子１個のエネルギーと、光子が走る時のマクロの軌道エネルギーの式と、ニュートリノ１個のエネルギーと、ニュートリノが走る時のマクロの軌道エネルギーの式と、地球に到着する光子１個のエネルギーと、ニュートリノ１個のエネルギーとマクロの軌道エネルギーの式とミクロの軌道エネルギーの式を示す。
【図２】Ｋ＝９．４８７×１０４の場合。宇宙の軌道に存在する（存在した）星から出発する光子１個のエネルギーと、光子が走るときのマクロの軌道エネルギーの式と、ニュートリノ１個のエネルギーと、ニュートリノが走るときのマクロの軌道エネルギーの式と、太陽から出発する光子１個のエネルギーと、光子が走る時のマクロの軌道エネルギーの式と、ニュートリノ１個のエネルギーと、ニュートリノが走る時のマクロの軌道エネルギーの式と、地球に到着する光子１個のエネルギーと、ニュートリノ１個のエネルギーとマクロの軌道エネルギーの式とミクロの軌道エネルギーの式を示す。
【図３】太陽から光子が出発する原理。ニュートリノは電子のラブの外側をラブと同じ方向に回転している。磁気の光子は電子のラブの回転方向に垂直に、クロス回転している。太陽の外側の磁気の光子の軌道は、水素原子の外側の磁気の光子の軌道より少し短い。それで、水素原子の外側を回転している磁気の光子は排斥されて放出する。この光子が出発する。
【図４】太陽の中では、排斥された光子は周囲の光子の軌道に合わせ、次第に自分の軌道を大きくしながら、太陽の外側に進む。太陽の中で光子とニュートリノは回転している。太陽から出発する光子の軌道は、太陽の外側に存在する水素原子の外側の磁気の光子の軌道より少し大きい。
【符号の説明】
１  星が存在する軌道    ２  光子のニュートリノのマクロの軌道    ３  太陽    ４  地球    ５  ニュートリノ    ６  電子のラブ    ７  磁気の光子（＝水素の特性Ｘ線や連続Ｘ線がクロス回転している。）    ８  水素原子の外側の磁気の光子    ９  光子    １０  太陽の中で排斥された光子の軌道    １１  太陽の中で排斥されたニュートリノの軌道    １２  回転する光子    １３  回転するニュートリノ    １４  太陽の外側の光子の軌道＝太陽の外側に存在する水素原子の外側の磁気の光子の軌道＝水素原子の外側をクロス回転する（特性）Ｘ線の軌道
【図１】
2005020996.tif 000014
【図２】
2005020996.tif 000015
【図３】
2005020996.tif 000016
【図４】
2005020996.tif 000017